(57)【要約】      （修正有）【課題】設置が見込まれるＤＳＲＣ（狭域通信）網とＣＡＴＶ網を相互に接続し、ＤＳＲＣ網とＣＡＴＶ網の有するサービスの提供をＣＡＴＶ端末と車載器としての移動通信端末どちらでも受けることができるシステムを提供する。【解決手段】複数のＣＡＴＶ局と広域ＬＡＮ等の通信回線を介してコンテンツの配信を行うＣＡＴＶセンター局を有したＣＡＴＶ網と、ＤＳＲＣ（狭域通信）センター局と光ケーブル等の通信回線に接続された複数のＤＳＲＣ中継局と、ＤＳＲＣ中継局に接続された複数のＤＳＲＣ無線機を有したＤＳＲＣ基地局とを有したＤＳＲＣ網との間を、前記ＣＡＴＶ網と前記ＤＳＲＣ網が有するそれぞれの情報をデータベース化した多目的基地局を介して通信回線で接続し、ＤＳＲＣ（狭域通信）網とＣＡＴＶ網の有するサービスの提供をＣＡＴＶ端末と車載器としての移動通信端末どちらでも受けることができるＣＡＴＶとＤＳＲＣの融合システムを構成する。【選択図】図１
2009278601.tif 000002
【特許請求の範囲】
【請求項１】
複数のＣＡＴＶ局と該複数のＣＡＴＶ局へ共通コンテンツの配信と前記複数のＣＡＴＶ局のそれぞれの保有するコンテンツの受信等を、広域ＬＡＮ等の通信回線を介して行うＣＡＴＶセンター局と、ＤＳＲＣ（狭域通信）センター局と光ケーブル等の通信回線に接続された複数のＤＳＲＣ中継局と、該ＤＳＲＣ中継局に接続された複数のＤＳＲＣ無線機を有したＤＳＲＣ基地局と、前記ＤＳＲＣ中継局の有する地域情報を前記ＤＳＲＣセンター局で収集し、前記ＣＡＴＶセンター局と前記ＤＳＲＣセンター局の間を通信回線で接続、または多目的基地局を介して通信回線で接続したことを特徴としたＣＡＴＶとＤＳＲＣの融合システム。
【請求項２】
複数のＣＡＴＶ局と該複数のＣＡＴＶ局へ共通コンテンツの配信と前記複数のＣＡＴＶ局のそれぞれの保有するコンテンツの受信等を、広域ＬＡＮ等の通信回線を介して行うＣＡＴＶセンター局と、ＤＳＲＣ（狭域通信）センター局と光ケーブル等の通信回線に接続された複数のＤＳＲＣ中継局と、該ＤＳＲＣ中継局に接続された複数のＤＳＲＣ無線機を有したＤＳＲＣ基地局と、該ＤＳＲＣ基地局が路側に設置され、車載器としてのＤＳＲＣ移動通信端末の有する個体情報を前記ＤＳＲＣ基地局が読み取ることにより、通過した車の特定、または旅行時間計測情報、または渋滞センサからの渋滞状況等の交通情報を該ＤＳＲＣ基地局または前記ＤＳＲＣ中継局で収集し、前記ＤＳＲＣセンター局に集められるようにすると共に、前記ＤＳＲＣ中継局の有する地域情報を前記ＤＳＲＣセンター局で収集し、前記ＣＡＴＶセンター局と前記ＤＳＲＣセンター局の間を通信回線で接続、または多目的基地局を介して通信回線で接続したことを特徴としたＣＡＴＶとＤＳＲＣの融合システム。
【請求項３】
車載器としてのＤＳＲＣ移動通信端末は、ＤＳＲＣ基地局と通信を行うことにより、渋滞等の交通情報や駐車場、スタンド等での決済、またはコンビニ、道の駅や駅前広場等の公共の場所から各種情報の提供が受けられると共に、ＣＡＴＶ局からの特産物等の地域情報やコンテンツの配信が受けられることを特徴とした請求項１または請求項２記載のＣＡＴＶとＤＳＲＣの融合システム。
【請求項４】
車載器としてのＤＳＲＣ移動通信端末は、ＤＳＲＣ基地局と通信を行うことにより、ＤＳＲＣ網からの情報あるいはＣＡＴＶ網からの情報のダウンロードと携帯電話へ赤外線通信、またはブルートゥース等の無線通信手段で前記情報の伝送ができることを特徴とした請求項１または請求項２記載のＣＡＴＶとＤＳＲＣの融合システム。
【請求項５】
ＤＳＲＣ中継局は、道の駅、コンビニ、スタンド、駅前広場、駐車場、高速道路のサービスエリア等の情報を有し、ＤＳＲＣセンター局、多目的基地局、ＣＡＴＶセンター局、ＣＡＴＶ局を介して、家庭のＣＡＴＶ端末から前記ＤＳＲＣ中継局の有する情報が得られることを特徴とした請求項１または請求項２記載のＣＡＴＶとＤＳＲＣの融合システム。
【請求項６】
路側に沿って設置されたＤＳＲＣ基地局またはＤＳＲＣ中継局で収集された交通情報をＣＡＴＶ網とＤＳＲＣ網へ配信するようにしたことを特徴とした請求項１または請求項２記載のＣＡＴＶとＤＳＲＣの融合システム。
【請求項７】
ＣＡＴＶ局および、またはＣＡＴＶセンター局に衛星通信局を有すると共に、ＤＳＲＣ中継局および、またはＤＳＲＣセンター局に衛星通信局を有し、通信衛星を介して前記ＣＡＴＶ局および、または前記ＣＡＴＶセンター局からなるＣＡＴＶ網とＤＳＲＣ中継局および、またはＤＳＲＣセンター局からなるＤＳＲＣ網間で相互に通信が可能となるようにしたことを特徴とした請求項１または請求項２のＣＡＴＶとＤＳＲＣの融合システム。
【請求項８】
ＤＳＲＣ基地局に監視カメラを接続し、前記ＤＳＲＣ基地局に接続されたＤＳＲＣ中継局内に設置された衛星通信局と通信衛星を介して他のＤＳＲＣ中継局、あるいはＤＳＲＣセンター局に設置された前記衛星通信局との間で衛星通信を行い、前記監視カメラからの映像情報を収集し、全国ネットとしてセキュリティ監視を行うことを特徴としたＤＳＲＣ衛星通信システム。
【発明の詳細な説明】
【技術分野】
【０００１】  ＣＡＴＶに加入しているＣＡＴＶ端末からも車載ＤＳＲＣ移動通信端末からも同じ情報サービスが受けられる情報のユビキタス化、サービス提供方法に関する。
【背景技術】
【０００２】  ＣＡＴＶシステムは、難視聴地域や特定の地域に天気予報、交通情報、イベントの開催、音楽、映画等のテレビジョン放送の提供、インターネット等のコンピュータ通信網への接続サービスがある。ＣＡＴＶ局のサービスエリア内に居住するユーザはＣＡＴＶ局と直接契約して室内に専用回線を引き、この専用回線からコンテンツの提供を受け、コンテンツの内容に応じて課金された料金をＣＡＴＶ局に払い込むようにしている。
交通情報関連ではＶＩＣＳがあり、高速道路での電波ビーコン、あるいは一般主要道路での光ビーコンでは、自車位置をもとにした直近の道路の詳細情報とＦＭ多重放送による広域エリアの道路交通情報の提供がある。また、今後普及が見込まれるＤＳＲＣ（狭域通信）システムの一つとして、ＥＴＣ（高速道路の料金収受）がある。
関連出願として、特開２００３−２４４６８０、特開２００３−２４４７６９、特開２００１−３０６９３７、特開２００６−２８７７０７がある。
【発明の開示】
【発明が解決しようとする課題】
【０００３】しかしながら、以上の従来のＣＡＴＶシステムでは、加入局の提供する限られたサービスしか受けることができ無い。ＶＩＣＳの交通情報に関しても主要道路から外れた観光地等に対するきめ細かい情報提供に対して十分とは言い難い。特開２００３−２４４６８０、特開２００３−２４４７６９では、移動通信端末がどのケーブルテレビジョン局のサービスエリアに位置していても、ケーブルテレビジョンサービスの提供を受けることができるサービスの提供方法が開示されているが、ＣＡＴＶ局の有する共通コンテンツの提供を移動通信端末で受けるサービス方法にとどまっている。
本発明は、各ＣＡＴＶ局の有する特産物等の地域情報や共通コンテンツの提供を移動通信端末で受けるだけでなく、駅前広場、コンビニ、スタンド、道の駅、駐車場等に設置が見込まれるＤＳＲＣ（狭域通信）網とＣＡＴＶ網を相互に接続し、ＤＳＲＣ（狭域通信）網とＣＡＴＶ網の有するサービスの提供をＣＡＴＶ端末と車載器としての移動通信端末どちらでも受けることができるシステムを提供することを目的とする。
【課題を解決するための手段】
【０００４】以上の課題を解決するために、本発明は複数のＣＡＴＶ局と該複数のＣＡＴＶ局へコンテンツの配信と前記複数のＣＡＴＶ局のそれぞれの保有するコンテンツの受信等を、広域ＬＡＮ等の通信回線を介して行うＣＡＴＶセンター局を有したＣＡＴＶ網と、ＤＳＲＣ（狭域通信）センター局と情報ＢＯＸ等の光ケーブル等の通信回線に接続された複数のＤＳＲＣ中継局と、該ＤＳＲＣ中継局に接続された複数のＤＳＲＣ無線機を有したＤＳＲＣ基地局とを有したＤＳＲＣ網との間を、前記ＣＡＴＶ網と前記ＤＳＲＣ網が有するそれぞれの情報をデータベース化した多目的基地局を介して通信回線で接続し、ＤＳＲＣ（狭域通信）網とＣＡＴＶ網の有するサービスの提供をＣＡＴＶ端末と車載器としての移動通信端末どちらでも受けることができるＣＡＴＶとＤＳＲＣの融合システムを構成する。
【発明の効果】
【０００５】  本発明によれば、複数のＣＡＴＶ局と該複数のＣＡＴＶ局へコンテンツの配信と前記複数のＣＡＴＶ局のそれぞれが保有するコンテンツの受信等を、広域ＬＡＮ等の通信回線を介して行うＣＡＴＶセンター局を有したＣＡＴＶ網と、ＤＳＲＣ（狭域通信）センター局と情報ＢＯＸ等の光ケーブル等の通信回線に接続された複数のＤＳＲＣ中継局と、該ＤＳＲＣ中継局に接続された複数のＤＳＲＣ無線機を有したＤＳＲＣ基地局とを有したＤＳＲＣ網との間を、前記ＣＡＴＶ網と前記ＤＳＲＣ網が有するそれぞれの情報をデータベース化した多目的基地局を介して通信回線で接続し、ＤＳＲＣ（狭域通信）網とＣＡＴＶ網の有するサービスの提供をＣＡＴＶ端末と車載器としての移動通信端末どちらでも受けることができる。このため、狭域通信（ＤＳＲＣ）サービスにより、地域への交通情報等、各種情報の提供、決済、情報の接続等が、光ケーブル等の通信回線を介して高速道路のサービスエリア、市街地のガソリンスタンド、コンビニ、駅前広場等多くの場所に設置されるＤＳＲＣアンテナから車載器の移動通信端末で受けられると共に、ＣＡＴＶ網の有するコンテンツや各種情報サービスの提供を受けることができる。一方、ＣＡＴＶ局加入のＣＡＴＶ端末からも前記ＤＳＲＣ網の有するサービスの提供を受けることができる。
【発明を実施するための最良の形態】
【０００６】  本発明の一実施形態を示すシステムブロック図を図１に示す。図１でＣＡＴＶ局３には、専用回線を介して加入者がセットトップボックスとテレビジョン受像機等とからなるＣＡＴＶ端末７、８、９に接続されたＣＡＴＶシステムは、難視聴地域や特定地域に対するテレビジョン放送（映画、天気予報、交通情報、イベントの開催、音楽等のコンテンツ）の提供、インターネット等への接続サービス等が提供される。個々のＣＡＴＶ局４〜６も同様にそれぞれサービスの提供が行われる。これらの前記ＣＡＴＶ局３〜６は、広域ＬＡＮ等の通信回線を介してＣＡＴＶセンター局１に接続されるように構成している。該ＣＡＴＶセンター局１は図２に示すように、ＣＡＴＶ共通コンテンツ３０、ＣＡＴＶ地域情報関連データベース３１、認証サーバ３３等を有しており、ルータ３４、３２を介してそれぞれの通信回線に接続されている。認証サーバ３３にはユーザ（加入者）固有情報や共通コンテンツの配信履歴等が記憶されている。また、該認証サーバ３３はＣＡＴＶ局３、４、５，６間との認証や該ＣＡＴＶ局３、４、５，６の加入ユーザのＣＡＴＶ端末７、８、９との間で相互認証が行われるように構成されている。前記ＣＡＴＶ局３、４、５、６それぞれにも図示しないが加入者認証サーバを有しており、前記ＣＡＴＶ端末７、８、９間で相互認証が行われることは勿論である。このように構成することにより、前記ＣＡＴＶセンター局１の有する前記ＣＡＴＶ共通コンテンツ３０、あるいは前記ＣＡＴＶ地域情報関連データベース３１からの情報サービスが、前記ＣＡＴＶ局３、４、５、６のいずれの前記ＣＡＴＶ端末からでも受けられる。また、例えば、前記加入局３の前記ＣＡＴＶ端末７から、前記ＣＡＴＶ局６の有する情報サービスを受けることができる。
図１で、ＤＳＲＣ（狭域俑信）中継局１２には、光ケーブル等の通信回線を介してＤＳＲＣ基地局（ＤＳＲＣ無線機）１７、１９、２０が接続されている。該ＤＳＲＣ基地局１７には、平面パッチアンテナ等のＤＳＲＣアンテナ１６が接続されていて、図６の車載機としてのＤＳＲＣ移動通信端末７０と双方向通信が行われる。前記ＤＳＲＣ基地局１７には、超音波センサやレーザセンサ等から構成される渋滞センサ１８が接続されるように構成されている。ＤＳＲＣ中継局１３には、ＤＳＲＣ基地局２２が接続されていて、図示しないが複数のＤＳＲＣ基地局が接続されている構成となっている。また、前記渋滞センサ２１が前記ＤＳＲＣ中継局１３に接続される構成としている。前記ＤＳＲＣ中継局１２、１３、１４、１５は、広域ＬＡＮ１１等の通信回線を介してＤＳＲＣセンター局１０に接続されている。該ＤＳＲＣセンター局１０は図３に示すように、道の駅、コンビニ等のサービス情報のデータベースを有した、ＤＳＲＣ関連サービス情報サーバ４０、道路情報関連データベースサーバ４１、認証サーバ４３等を有しており、ルータ４４、４２を介してそれぞれの通信回線に接続されている。認証サーバ４３には前記ＤＳＲＣ移動通信端末７０とユーザ（加入者）固有情報や決済履歴等が記憶されている。また、該認証サーバ４３は前記ＤＳＲＣ中継局１２、１３、１４、１５間との認証や該ＤＳＲＣ中継局１２、１３、１４、１５の加入ユーザの前記移動通信端末７０との間で相互認証が行われるように構成されている。前記ＤＳＲＣ中継局１２、１３、１４、１５それぞれにも図示しないが加入者認証サーバを有しており、例えば前記ＤＳＲＣ中継局１２と前記ＤＳＲＣ基地局１７、１９、２０との間で相互認証が行われることは勿論である。同様に、図示しないがＤＳＲＣ基地局１７とＤＳＲＣ移動通信端末７０間でも相互認証が行われる。このように構成することにより、前記ＤＳＲＣセンター局１０の有する前記ＤＳＲＣ関連サービス情報サーバ４０から前記移動通信端末７０が、どの前記ＤＳＲＣ基地局１７、１９、２０、２２に位置していてもＤＳＲＣ関連情報のサービスの提供を受けることができる。
図４は前記ＤＳＲＣ中継局１２の構成を示すブロック図であり、通信インターフェース手段５０を介してＤＳＲＣ基地局１７と接続され、決済サーバ５１では、前記ＤＳＲＣ移動通信端末７０との間で、ガソリンスタンドでの給油料金、駐車料金等の決済が行われる。ＤＳＲＣ地域情報サーバ５２からは、道の駅、コンビニ、駅前広場、駐車場、高速道路のサービスエリア、パーキングエリア等からの各種サービス情報を前記移動通信端末７０で受け取ることができる。前記渋滞センサ２１が入力され、処理回路５４を介して道路情報サーバ５５に入力される。該道路情報サーバ５５では、路側に沿って設置された前記ＤＳＲＣ基地局１７が車載器としての前記ＤＳＲＣ移動通信端末７０からのユーザ固有情報（個体情報）を取得することにより、通過した車の特定ができる。また、前記道路情報サーバで次の前記ＤＳＲＣ基地局１９の通過までの時間から旅行時間計測ができる。前記決済サーバ５１、ＤＳＲＣ地域情報サーバ５２、道路情報サーバ５５はルータ５３を介して広域ＬＡＮに接続され、前記ＤＳＲＣセンター局１０内で前記各種情報の共有が行われる。
図５に前記ＤＳＲＣ基地局（ＤＳＲＣ無線機）１７のブロック構成を示す。平面パッチアンテナ等で構成される前記ＤＳＲＣアンテナ１６は、送信・受信回路６０に接続され、該送信・受信回路６０はＣＰＵ、メモリ、変復調回路等で構成される制御回路６１に接続されている。該制御回路６１は通信インターフェース回路６２に接続されている。該通信インターフェース回路６２は、光Ｉ／Ｏ等を介して道路に沿って敷設されている情報ＢＯＸ等の光ケーブル５７に接続される。前記渋滞センサ１８は、処理回路６３を経て前記制御回路６１に入力され、前記渋滞センサ１８からの渋滞情報は前記ＤＳＲＣ中継局１２の前記道路情報サーバ５５に伝送される。前記ＤＳＲＣ基地局１７は、前記通信インターフェース回路６２を介して双方向通信が行われる。なお、前記ＤＳＲＣアンテナ１６は前記ＤＳＲＣ基地局１７の外に構成したが、該ＤＳＲＣ基地局１７に内蔵してもよい。
図６に本発明の車載器としての前記ＤＳＲＣ移動通信端末７０のブロック構成を示す。該ＤＳＲＣ移動通信端末７０に接続されるＤＳＲＣ車載アンテナ７１は送信・受信回路７２に接続される。ＣＰＵ等で構成される制御回路７３はＩＣカードリーダ７４と接続され、図示しないが挿入されたＩＣカード情報の読み取り、書き込みを制御する。更に、該制御回路７３は前記ＤＳＲＣ基地局１７の前記ＤＳＲＣアンテナ１６からの５．８ＧＨｚの電波を介して得られた情報をディスプレイ７５に表示するようにしている。該ディスプレイ７５は図示しないが、タッチパネル入力を具備しており、各種サービスを得るための入力操作を行えるようにしている。また、前記制御回路７３を介して接続されたメモリ手段７６には、前記ＤＳＲＣ車載アンテナ７１を介して得られた各種サービス情報がダウンロードされろように構成されている。更に、前記制御回路７３に接続されたインターフェース手段７７は赤外線通信、またはブルートゥース（Ｂｌｕｅｔｏｏｔｈ）の短距離無線インターフェースで構成される。該インターフェース手段７７を介して、例えば観光地の駐車場にて目的の建物情報を図示しないが携帯電話に入れる。前記目的の建物までは、該携帯電話の携帯ナビに従って歩いて観光案内を得ることができる。
図７に本発明の前記多目的基地局２５のブロック構成を示す。該多目的基地局２５は、それぞれの通信回線２６、２７とルータ８０、８４を介してＣＡＴＶ地域関連情報データベースサーバ８１、ＤＳＲＣ地域関連情報データベースサーバ８３、交通情報データベースサーバ８２に接続されている。前記ＣＡＴＶ地域関連情報データベースサーバ８１は、前記ＣＡＴＶセンター局１が有する情報（例えば、音楽、映画、イベント開催、特産物等のコンテンツ、防災、災害、気象、地域情報等）のデータベース化と前記ＤＳＲＣセンター局１０、前記ＤＳＲＣ中継局１２〜１５、前記ＤＳＲＣ基地局１７、１９、２０、２２からなるＤＳＲＣ通信網に配信されるように構成される。従って、車載器の前記ＤＳＲＣ移動通信端末７０で、前記ＣＡＴＶセンター局１が有する情報を得ることができる。
一方、前記ＤＳＲＣ地域関連情報データベースサーバ８３は、前記ＤＳＲＣセンター局１０が有するＤＳＲＣ関連サービス情報（例えば、高速道路のパーキングエリア、サービスエリア等の情報、市街地のガソリンスタンド、コンビニ、駅前広場、駐車場等の情報、国道のコンビニ、ドライブイン・食堂、ガソリンスタンド、道の駅等の各種情報）のデータベース化と前記ＣＡＴＶセンター局１、前記ＣＡＴＶ局３〜６、前記ＣＡＴＶ端末７〜９からなるＣＡＴＶ網に前記ＤＳＲＣ関連サービス情報が配信されるように構成される。従って、前記ＣＡＴＶ端末で前記ＤＳＲＣ網から、例えば休日前になると推奨されるレジャー観光地と関連情報が送られてきたり、配信を得ることができ、行先を選定することができる。
また、前記交通情報データベースサーバ８２は、前記ＤＳＲＣセンター局１０の有する前記道路情報関連データベースサーバ４１からの道路情報を収集、処理、編集加工してデータベース化を行い、道路情報として前記ＣＡＴＶ網と前記ＤＳＲＣ網へそれぞれ配信するように構成される。従って、広域に配設された前記ＤＳＲＣ網から収集される道路情報を配信できるので、自車位置をもとにした直近の道路の詳細情報や目的地周辺の道路情報、目的地までの事故、故障車、車線規制、パーキングエリアの満車、空き情報等よりきめ細かい交通関連情報を得ることができる。また、車載器としての前記移動通信端末７０からだけでなく、前記ＣＡＴＶ端末からも同じ交通関連情報を得ることができる。
図８に本発明の他の実施例を示す。前記ＣＡＴＶ局３〜６、前記ＣＡＴＶセンター局１、およびＤＳＲＣ中継局１２〜１５、ＤＳＲＣセンター局１０には、それぞれ図示しないが、ルータを介して衛星モデム、送信・受信機等とアンテナ１０１〜１１０で構成されるそれぞれの衛星通信局を有し、該衛星通信局と通信衛星１００との間で通信が行われるように構成されている。ＣＡＴＶセンター局１内の前記衛星通信局は、前記ＣＡＴＶセンター局１の有する前記ＣＡＴＶ共通コンテンツ３０等をアンテナ１０１から通信衛星１００を介して他の衛星通信局に配信される。同様にして前記通信衛星１００を介して、前記ＣＡＴＶ局１０３とＤＳＲＣ中継局１２間の衛星通信が行われる。このように、前記衛星通信を介して前記ＣＡＴＶ網とＤＳＲＣ網間の衛星通信が可能となる。図示しないが、前記ＤＳＲＣ基地局１７、１９、２０、２２に監視カメラを接続し、人・情報が集中するところは、ＤＳＲＣ基地局の全国ネットとして監視するようにする。こうすることにより広範囲のセキュリティ監視が可能となる。
【実施形態の効果】
【０００７】  本発明によれば、複数のＣＡＴＶ局と該複数のＣＡＴＶ局へコンテンツの配信と前記複数のＣＡＴＶ局のそれぞれの保有するコンテンツの受信等を、広域ＬＡＮ等の通信回線を介して行うＣＡＴＶセンター局を有したＣＡＴＶ網と、ＤＳＲＣ（狭域通信）センター局と情報ＢＯＸ等の光ケーブル等の通信回線に接続された複数のＤＳＲＣ中継局と、該ＤＳＲＣ中継局に接続された複数のＤＳＲＣ無線機を有したＤＳＲＣ基地局とを有したＤＳＲＣ網との間を、前記ＣＡＴＶ網と前記ＤＳＲＣ網が有するそれぞれの情報をデータベース化した多目的基地局を介して通信回線で接続し、ＤＳＲＣ（狭域通信）網とＣＡＴＶ網の有するサービスの提供をＣＡＴＶ端末と車載器としての移動通信端末どちらでも受けることができる。このため、狭域通信（ＤＳＲＣ）サービスにより、地域への交通情報等、各種情報の提供、決済、情報の接続等が、光ケーブル等の通信回線を介して高速道路のサービスエリア、市街地のガソリンスタンド、コンビニ、駅前広場等多くの場所に設置されるＤＳＲＣアンテナから車載器の移動通信端末で受けられると共に、ＣＡＴＶ網の有するコンテンツや各種情報サービスの提供を受けることができる。一方、ＣＡＴＶ局加入のＣＡＴＶ端末からも前記ＤＳＲＣ網の有するサービスの提供を受けることができる。また、車載器の移動通信端末から携帯電話に目的地の建物情報等を赤外線通信等で入力することができ、携帯ナビに従って歩く観光案内を受けることもできる。更に、衛星通信を介してＣＡＴＶ網とＤＳＲＣ網を二重化しているので災害時の情報伝達網を確保できる。また、ＤＳＲＣ基地局に監視カメラを設置して接続し、通信衛星網を用いることにより、全国ネットとしてのセキュリティ監視が可能となる。
【図面の簡単な説明】
【０００８】
【図１】本発明の一実施形態を示すシステムブロック図である。
【図２】本発明の一実施形態を示すＣＡＴＶセンター局のブロック図である。
【図３】本発明の一実施形態を示すＤＳＲＣセンター局のブロック図である。
【図４】本発明の一実施形態を示すＤＳＲＣ中継局のブロック図である。
【図５】本発明の一実施形熊を示すＤＳＲＣ基地局（ＤＳＲＣ無線機）のブロック図である。
【図６】本発明の一実施形態を示すＤＳＲＣ移動端末（車載器）のブロック図である。
【図７】本発明の一実施形態を示す多目的基地局のブロック図である。
【図８】本発明の一実施形態を示す通信衛星併用のブロック図である。
【符号の説明】
【０００９】１  ＣＡＴＶセンター局    ２  広域ＬＡＮ    ３〜６  ＣＡＴＶ局
７〜９  ＣＡＴＶ端末    １０  ＤＳＲＣセンター局
１１  広域ＬＡＮ    １２〜１５  ＤＳＲＣ中継局
１７、１９、２０    ＤＳＲＣ基地局（ＤＳＲＣ無線機）
１８、２１、２３、２４    渋滞センサ
２５  多目的基地局
３０  ＣＡＴＶ共通コンテンツ    ３１  ＣＡＴＶ地域情報関連データベース
３２、３４  ルータ    ３３  認証サーバ
４０  ＤＳＲＣ関連サービス情報サーバ
４１  道路情報関連データベースサーバ
４３  認証サーバ    ５１  決済サーバ    ５２  ＤＳＲＣ地域情報サーバ
５４  処理回路    ５５  道路情報サーバ
６０  送信・受信回路    ６１  制御回路    ６２  通信インターフェース回路
７０  ＤＳＲＣ移動通信端末（車載器）    ７１  ＤＳＲＣ車載アンテナ
７２  送信・受信回路
７３  制御回路    ７４  ＩＣカードリーダ    ７５  ディスプレイ
７６  メモリ    ７７  インターフェース手段
８１  ＣＡＴＶ地域関連情報データベースサーバ
８２  交通情報データベースサーバ
８３  ＤＳＲＣ地域関連情報データベースサーバ
１００  通信衛星
１０１〜１１０  衛星通信局アンテナ
【図１】
2009278601.tif 000003
【図２】
2009278601.tif 000004
【図３】
2009278601.tif 000005
【図４】
2009278601.tif 000006
【図５】
2009278601.tif 000007
【図６】
2009278601.tif 000008
【図７】
2009278601.tif 000009
【図８】
2009278601.tif 000010